(57)【要約】      （修正有）【課題】高圧に耐え、かつ、内部を流れる気液混合流流に乱れが生じなく、ドレン・水滴等再飛散等を防止することでき、さらには、これにより圧力損失がなく、気液混合流からのドレン・水滴等の分離・除去の処理能率が高く、製作工程においても容易に製作可能な気液混合流ドレンセパレーターを提供する。【解決手段】少なくとも気液混合流排出管及び気液混合流流入管を有し、流入する気液混合流を水平方向に９０度旋回する経路と、当該経路下に経路を通過する気液混合流中のドレン又は水滴が落下し、外部に排出するドレン口とを有し、前記経路内には、取り外し可能で、かつ、一体的に形成され複数枚の水平方向に９０度屈曲するエレメントが所定のピッチ間隔で垂直に配置され、さらに、前記各エレメントの出口端が、１８０度折り返され、折り返し部が気液混合流中のドレン又は水滴が流れ込む樋部を形成したエリミネータが収納されたことを特徴とする。【選択図】図１
2015112513.tif 000002
【特許請求の範囲】
【請求項１】
少なくとも気液混合流排出管及び気液混合流流入管を有し、流入する気液混合流を水平方向に９０度旋回する経路と、当該経路下に経路を通過する気液混合流中のドレン又は水滴が落下し、外部に排出するドレン口とを有し、
前記経路内には、取り外し可能で、かつ、一体的に形成され複数枚の水平方向に９０度屈曲するエレメントが所定のピッチ間隔で垂直に配置され、さらに、前記各エレメントの出口端が、１８０度折り返され、折り返し部が気液混合流中のドレン又は水滴が流れ込む樋部を形成したエリミネータが収納されたことを特徴とする気液混合流ドレンセパレーター。
【請求項２】
前記エリミネータの各エレメントの前記樋部は、その折り返し端が、折り返し前の面と面一又は折り返し前の面以下の位置に形成されたことを特徴とする請求項１に記載の気液混合流ドレンセパレーター。
【請求項３】
各エレメントの垂直方向中間位置には、前記各エレメントのエレメント数だけエレメント外形形状が切り込まれた溝を有する一又は２以上の平板からなる間挿板が挿通されたことを特徴とする請求項１に記載の気液混合流ドレンセパレーター。
【請求項４】
前記気液混合流流入管及び前記気液混合流排出管の内部開口角度と、各エレメントの入口側端部配列と出口側端部配列が平行に配置されたことを特徴とする請求項１に記載の気液混合流ドレンセパレーター。
【請求項５】
前記気液混合流流入管及び前記気液混合流排出管の内部開口が、前記エリミネータの各エレメントの入口側端部配列と出口端部側配列の全域に渡って所定の間隙を保って密着に配置されたことを特徴とする請求項１に記載の気液混合流ドレンセパレーター。
【発明の詳細な説明】
【技術分野】
【０００１】
本発明は、蒸気配管中のドレン水滴などを分離・除去するドレンセパレーター、特に、気液混合流において使用される気液混合流ドレンセパレーターに関する。
【背景技術】
【０００２】
近年、気液混合流が発電や各種産業の熱源等の各分野で多用されるが、これらの気液混合流には、本来必要とする蒸気と共にドレンや水滴などが混じり合った状態で生成され、これらのドレンや水滴などが混じり合った状態では、ボイラーによって作り出された熱エネルギーは、ドレンや水滴に無駄に消費されているとされる。
そこで、これらのドレンや水滴を分離除去して、再利用を図ることが行われ、このドレン・水滴の分離除去に用いられるのが、ドレンセパレーターと称する装置である。
【０００３】
ドレンセパレーターは、蒸気等の配管ラインに配置され、配管内を蒸気等を常時通過させ、内部に設ける邪魔板やメッシュに蒸気等を衝突させて、液相成分を滴り落としたり、ドレン・水滴が混じり合った蒸気流入に回転力を与えつつ所定の経路に導き、回転力により発生する遠心力により気相と液相の比重量差でドレン・水滴を分離する方法など様々な原理を応用するものが知られている。
【０００４】
例えば、特開２００５-２４１１０２号公報に開示のものは、上述の邪魔板の類の複数のエレメントに排ガス等を導き、当該エレメントでミストを除去するというものである。
【０００５】
図７は、同公報に開示の「開示発明に係るエリミネータの水平方向での断面概略図」として説明される図であり（同公報図１参照）、図７において、符号１１１は、ケーシング、１１２は、エリミネータ、１１２ａ、１１２ｂ、・・・１１２ｎは、エレメント、１１３ａ、１１３ｂ、・・・１１３ｎは、曲面板（曲面部）、１１５ａ、１１５ｂ、・・・１１５ｎは、案内板（延在面部）、１１６ａ、１１６ｂ、・・・１１６ｎは、樋、１１７は、開口部である（なお、符号は、先行技術であることを明らかにするために、本願出願人において、３桁に変更して説明した。）
【０００６】
ところが、特開２００５-２４１１０２号公報に開示のエリミネータ１１２は、高圧下における使用を想定したものではなく、高圧下においては使用することができない。特に、前記エリミネータ１１２の各エレメント１１２ａ、１１２ｂ、・・・１１２ｎに対して、高圧の気液混合流を処理する場合には、微妙な振動やブレが生じたりして、破壊に至るおそれがある。
【０００７】
また、上記特開２００５-２４１１０２号公報に開示の前記エリミネータ１１２の前記エレメント１１２ａ、１１２ｂ、・・・１１２ｎは、前記樋１１６ａ、１１６ｂ、・・・１１６ｎが、前記延在面部１１５ａ、１１５ｂ、・・・１１５ｎの面より突出しているため、高圧で流入する蒸気の流れが乱れ、この乱流により内部での圧力損失が生じ、ドレン・水滴の分離・除去に際し効率の悪いものとなり、特に、気液混合流においては効率低下が顕著であるという問題がある。
【０００８】
さらに、製作面においても、特開２００５-２４１１０２号公報に開示のエリミネータは、複数のエレメント１１２ａ、１１２ｂ、・・・１１２ｎを缶体からなり前記ケーシング１１１に納める構造であるため、一体的に製作しなければならないことから、工場製作における製作効率も悪いという問題がある。
また、高温高圧高速の蒸気では、衝撃・振動・速度変化に基づく反力を受け、先の振動やブレが生じ、破壊に至るという問題があり、この対策としてユニットの剛性(断面二次モーメント)をあげる必要があり、分解点検にも難があった。
【先行技術文献】
【特許文献】
【０００９】
【特許文献１】特開２００５-２４１１０２号公報
【発明の概要】
【発明が解決しようとする課題】
【００１０】
本願発明は、従来技術上の上述の欠点に鑑み、高圧に耐え、かつ、内部を流れる気液混合流に乱れが生じなく、ドレン・水滴等再飛散等を防止することでき、さらには圧力損失が少なく、気液混合流からのドレン・水滴等の分離・除去の処理能率が高く、製作工程においても容易に製作可能な気液混合流ドレンセパレーターを提供することを目的とする。
【課題を解決するための手段】
【００１１】
上記課題を解決するために、本願請求項１に係る発明は、少なくとも気液混合流排出管及び気液混合流流入管を有し、流入する気液混合流を水平方向に９０度旋回する経路と、当該経路下に経路を通過する気液混合流中のドレン又は水滴が落下し、外部に排出するドレン口とを有し、前記経路内には、取り外し可能で、かつ、一体的に形成され複数枚の水平方向に９０度屈曲するエレメントが所定のピッチ間隔で垂直に配置され、さらに、前記各エレメントの出口端が、１８０度折り返され、折り返し部が気液混合流中のドレン又は水滴が流れ込む樋部を形成したエリミネータが収納されたことを特徴とする。
また、本願請求項２に係る発明は、前記請求項１に記載の気液混合流ドレンセパレーターにおいて、前記エリミネータの各エレメントの前記樋部は、その折り返し端が、折り返し前の面と面一又は折り返し前の面以下の位置に形成されたことを特徴とする。
さらに、本願請求項３に係る発明は、前記請求項１に記載の気液混合流ドレンセパレーターにおいて、各エレメントの垂直方向中間位置には、前記各エレメントのエレメント数だけエレメント外形形状が切り込まれた溝を有する一又は２以上の平板からなる間挿板が挿通されたことを特徴とする。
そして、本願請求項４に係る発明は、前記請求項１に記載の気液混合流ドレンセパレーターにおいて、前記気液混合流流入管及び前記気液混合流排出管の内部開口角度と、各エレメントの入口側端部配列と出口側端部配列が平行に配置されたことを特徴とする。
また、本願請求項５に係る発明は、前記請求項１に記載の気液混合流ドレンセパレーターにおいて、前記気液混合流流入管及び前記気液混合流排出管の内部開口が、前記エリミネータの各エレメントの入口側端部配列と出口端部側配列の全域に渡って所定の間隙を保って密着に配置されたことを特徴とする。
【発明の効果】
【００１２】
上記のように構成であるので、本発明は次のような効果を奏する。
（１）捕集されたドレン・水滴等はドレン・水滴等が有する凝集力により延在面に付着するため突出していなくても樋部に流れ込み、効率良くドレン・水滴等の分離・除去が可能となる。
（２）エレメント端の樋部が突出してないことにより、気液混合流流路が平滑になり、気液混合流流れの乱れがなくなり、ドレン・水滴等の分離・除去の効率が高まる。
（３）通過する気液混合流の乱れがなくなることにより圧力損失を低減し、ドレン・水滴等の再飛散を防止でき、この面でもドレン・水滴等の分離・除去の効率が高まる。
【００１３】
（４）これらのことから、処理量の増加、ひいては処理の効率化を図ることができる。
（５）本体管路（ダクト）とドレン除去装置の設計製作を切り離すことが可能となり、装置単品を工場製作とすることができ、効率的な装置製作が可能となる。
（６）エリミネータのエレメント部で拡散し広った気液混合流を速やかに収容するため出口管の口径を入口管より大きくしたので、効率良くドレン・水滴の分離・除去が可能となる。
【００１４】
（７）エレメントの配置をエレメント間に間挿する間挿板（平板）への切込みによって決定し、エレメントと間挿板を溶接にて固定することによりエレメントどうしを精度よく強固に固定したエレメントユニットとすることができる。
（８）この結果エレメントは外部の力に対してエレメント単独の剛性によらずはるかに大きなエレメントユニット全体の剛性で抵抗できようになる。このため高圧の気液混合流の吹込みによっても振動等が発生しなくなり有害な変形も生じなくなる。
（９）さらに、エレメント部に間挿板（平板）を介在させ一体化しエレメントユニットしたためユニットごとの取り外しは可能となり分解点検・清掃が可能である。
【図面の簡単な説明】
【００１５】
【図１】図１は、本発明に係る気液混合流ドレンセパレーターの一実施例１に係る気液混合流ドレンセパレーター１の分解概略図、
【図２】図２（ａ）は、概略測面図、図２（ｂ）は、同平断面図、
【図３】図３は、前記エリミネータ３に使用される１枚の前記エレメントの概略を示す図、
【図４】図４は、本実施例１に係る気液混合流ドレンセパレーター１を構成する前記エリミネータ３に使用される一枚のエレメントの概略を示す断面概略図
【図５】図５は、前記複数のエレメント２０、２０・・・に対し、前記間挿板１４ａ、１４ｂを挿入させて、前記各エレメントの振動を抑制する状態を示す概略図、
【図６】図６は、図２（Ａ）（Ｂ）に示す本実施例１に係る気液混合流ドレンセパレーター１の前記エリミネータ３のエレメント２０、２０、・・・の配置を上から見た概略図、
【図７】図７は、特開２００５−２４１１０２号公報に開示の発明の「エリミネータの水平方向での断面概略図」として説明される図である。
【発明を実施するための形態】
【００１６】
本発明に係る気液混合流ドレンセパレーターを実施するための一形態の実施例を図面に基づき詳細に説明する。
【実施例１】
【００１７】
図１は、本発明に係る気液混合流ドレンセパレーターの一実施例１に係る気液混合流ドレンセパレーター１の分解概略図、図２（ａ）は、概略測面図、図２（ｂ）は、同平断面図である（なお、図２においては、下記説明する間挿板１４ａ、１４ｂを省略して描いている。）。
【００１８】
図１、図２（ａ）（ｂ）において、符号１は、本実施例１に係る気液混合流ドレンセパレーター、２は、本体管部、３は、エリミネータ、４は、気液混合流流入管、５は、気液混合流排出管、６は、本体管部上板、７は、本体管部下板、８は、ドレン孔、９は、ドレン管、１０は、エリミネータ下部支持部、１１は、エリミネータ上部支持部、１２、１２，１２は、固定ネジ、１３は、引き出し取っ手、１４ａ、１４ｂは、当該エリミネータ３を構成する各エレメントのブレを抑制する間挿板、１５は、エリミネータ上板、１６は、エリミネータ下板、２６は、前記気液混合流流入管４から流入し、前記気液混合流排出管５に至る間に流入する気液混合流を水平方向に９０度旋回する経路であり、したがって、前記エリミネータ３では、気液混合流が、図１の左手前から流入し、前記エリミネータ３内を通り、図１の右手前から抜ける構造となっている。
【００１９】
図１、図２（ａ）（ｂ）から明らかなように、本実施例１に係る気液混合流ドレンセパレーター１は、ドレン・水滴などが含まれる気液混合流が、前記気液混合流流入管４から前記本体管部２に流入し、水平方向に９０度旋回する前記経路２６において、同本体管部２の内部の当該部分に配置・収納される前記エリミネータ３により、ドレン、水滴が分離・除去され、乾いた蒸気が前記気液混合流排出管５より排出される(前記エリミネータ３により、ドレン・水滴が分離・除去される概略は後に詳述する。)。
【００２０】
本実施例１に係る気液混合流ドレンセパレーター１は、気液混合流（例えば、マイナス０．５〜３０ＭＰａＧ程度）において、処理する気液混合流の配管において、ドレン・水滴等を分離・除去せんとするものであることから、前記本体管部２として、例えば、ＳＴＢ、ＳＴＰＧ、ＳＵＳ等の材質の合金綱管を使用し、この本体管部２に対して、高圧に耐えうる前記本体管部上板６及び前記本体管部下板７を使用し、内部に高圧に耐えうる前記エリミネータ３の構造とした。
【００２１】
このため、前記エリミネータ３の各エレメントは、所定の間隔に配置される前記間挿板１４ａ、１４ｂにより、気液混合流の流入や、流れの方向転換に伴う無用なブレ等の振動を抑制する構造となっている。
【００２２】
また、本実施例１に係る気液混合流ドレンセパレーター１においては、前記エリミネータ３は、清掃等の便宜のため取り外し可能に収納される構造とする。すなわち、前記エリミネータ３には、取り外し用の前記引き出し取っ手１３が設けられ、また、当該エリミネータ３は、前記本体管部２の内部の所定位置に所定の角度で設置されるように、前記エリミネータ上板１５及び前記エリミネータ下板１６が、前記エリミネータ下部支持部１０及び前記エリミネータ上部支持部１１に係合し、所定の位置に位置決めされた後に前記固定ネジ１２、１２、１２により、収納固定される構造とする。
【００２３】
したがって、本実施例１に係る気液混合流ドレンセパレーター１のドレン・水滴捕集効率が落ちたりして、内部に収納される前記エリミネータ３の清掃が必要な際には、前記本体管部上板６を取り外し、さらに、前記ネジ１２・・・を外し、前記引き出し取っ手１３により、当該エリミネータ３を回動させる等して、前記エリミネータ上部支持部１１等に衝突しないように注意を払って取り外し、所定の清掃の後、再度、内部に収納することができる。
【００２４】
なお、本実施例１に係る気液混合流ドレンセパレーター１においては、前記気液混合流排出管５は、図１、図２（ａ）（ｂ）から明らかなように、接続口径が徐々に小さくなる構造としている。これは、前記気液混合流流入管４から流れこむ高圧蒸は前記エリミネータ３のエレメント部でドレン・水滴等が分離・除去の処理されるが、この処理後には拡散し広がる。そこで、この広がった気液混合流を速やかに収束させるため、前記気液混合流排出管５の取り付け口径を前記気液混合流流入管４の口径よりも大きくする。
【００２５】
そして、その後の口径は、設置工事の容易等のため、気液混合流が一定状態に落ち着き収容された後は前記気液混合流流入管４と同じ口径に戻しても差し支えないことはもちろんである。前記気液混合流排出管５取り付け口径については、前記気液混合流流入管４と前記気液混合流排出管５の屈曲角度にもよるが、本実施例１に係る気液混合流ドレンセパレーター１のように９０度の屈曲の場合には、本実施例１に係る気液混合流ドレンセパレーター１では、前記気液混合流排出管５の取り付け口径を前記気液混合流流入管４の口径よりも大きくする。この部分における圧力損を最小にするためである。
【００２６】
そして、ここでの圧力損を低減するために、図１、図２（ａ）（ｂ）に示すように、本実施例１に係る気液混合流ドレンセパレーター１では、水平方向に直角に屈曲する前記気液混合流流入管４と前記気液混合流排出管５の間に前記エリミネータ３が４５度の角度で配置されるように構成される。そして、前記気液混合流流入管４の内部開口及び前記気液混合流排出管５の内部開口は、前記エリミネータ３の入口側端及び出口側端の各配列端とそれぞれ平行となるように４５度の角度に構成され、上記各内部開口は、前記エリミネータ３の入口側端及び出口側端の各配列端に所定の間隙を保って密着して構成される。
【００２７】
また、前記エリミネータ３は、上述するように、流入される気液混合流の進路を変化させて、進路の変換過程において、気液混合流内に含まれるドレン・水滴等を分離・除去するためのものであり、後述するように、全体として複数枚の各エレメントが等間隔で平行に，かつ、垂直に配列され、気液混合流流入側から所定距離の箇所で緩やかに９０度屈曲させ、さらに終端が１８０度折り曲げられて樋部を形成する複数のエレメントで構成される。
【００２８】
図３は、前記エリミネータ３に使用される１枚の前記エレメントの概略を示す図であり、図３において、２０は、１枚からなるエレメント、２１は、当該エレメントの気液混合流導入部（Gas inlet portion）、２２は、同気液混合流ターン部（Gas turn portion）、２３は、同気液混合流整流部（Gas align portion）、２４は、同樋部（Drain gutter）である。
【００２９】
前記エリミネータ３は、これらのエレメントが複数枚平行に整合されて構成され、前記気液混合流流入管４から流入される気液混合流は、当該エレメント２０の前記気液混合流導入部２１から、各エレメント２０の間を通る間に前記気液混合流ターン部２２で気液混合流の流れを９０度方向転換させる前記経路２６内において、９０度方向転換による流れの向きが変わる際に気液混合流の回転により生じる遠心力により、気相成分と液相成分との比重量差により、重量の重い液相成分は、エレメント２０側に重量の軽い気相成分はエレメント２０より遠い領域に集められる。
【００３０】
そして、遠心力により重量の重い液相成分は、前記気液混合流整流部２３に衝突し、液化状態となり、気液混合流の流れの方向や重力方向に落下しつつ移動する。さらに、流れ方向に流れた液化状態のドレン・水滴は、前記樋部２４で入る。当該樋部２４にドレン・水滴を集め、重力により下方に集め、前記ドレン孔８及びドレン管９から外部に排出するようにする。
なお、本実施例１に係る気液混合流ドレンセパレーター１において、高圧の気液混合流に使用する場合には、前記ドレン孔８又は前記ドレン管９には、必要に応じ、適宜、所定圧力で排出する圧力弁等を配置することが好ましい。
【００３１】
図４は、本実施例１に係る気液混合流ドレンセパレーター１を構成する前記エリミネータ３に使用される一枚のエレメントの概略を示す断面概略図であり、図４において、符号２２は、前記気液混合流ターン部、２３ｂは、前記気液混合流整流部２３の内面である延在面、２４ａは、前記樋部２４の折り返し先端、２４ｂは、前記樋部２４のドレン入り口であり、αは、前記延在面２３ｂと当該先端２４ａとの面位置距離を示す。
【００３２】
図４に示すように、本実施例１に係る気液混合流ドレンセパレーター１を構成する前記エリミネータ３の当該樋部２４のドレン入り口２４ｂの内側は、前記気液混合流整流部２３の延在面２３ｂより突出しない形状（面一または面一以下）で、かつ、前記折り返し先端２４ａと前記延在面２３ｂとの間に間隙が構成され、前記樋部２４のドレン入り口２４ｂを構成する。
【００３３】
すなわち、図４から明らかなように、前記樋部２４は、前記気液混合流整流部２３の前記延在面２３ｂが延伸して１８０度内側に折り返され、内部にドレン・水滴を捕囚する樋部２４を構成する。そして、当該樋部２４の先端２４ａは、前記延在面２３ｂに所定の間隔を有して近接する間隙からなり、かつ、当該先端２４ａは、前記延在面２３ｂの面位置と同一面上又は前記延在面２３ｂの面位置より突出しない所定の距離αを保って形成される。
【００３４】
したがって、前記気液混合流整流部２３の前記延在面２３ｂにへばりついているドレンや水滴は、これらのドレンや水滴が有する凝集力により、前記延在面２３ｂに付着し、さらに、当該領域に吹き込む気液混合流の流れに押されて前記延在面２３ｂを伝わって流れるため、前記先端２４ａが、前記延在面２３ｂの面位置と同一面上又は前記延在面２３ｂの面位置より突出していなくても，容易に前記樋部２４に流れ込むことができる。
【００３５】
次に、前記間挿板１４ａ、１４ｂについて説明する。
本実施例１に係る気液混合流ドレンセパレーター１は、気液混合流内のドレンや水滴を分離除去して、低湿度にして必要箇所に送り込むものである。管内を流れる気液混合流内にドレンや水滴が存在することは、上述するように、熱的に無駄な熱エネルギーを浪費していることとなるので、気液混合流であってもドレンや水滴を分離除去することが望ましい。
【００３６】
しかしながら、前記エリミネータ３に使用される各１枚のエレメント２０は、全長３９ｍｍ程度で厚さ１．０ｍｍ形状であり、しかも、先端が１８０度折り返される折り返し先端２４ｂを有する樋部２４から構成され、このようなエレメント２０が複数枚平行に重畳されて、かつ、垂直に配置されて前記エリミネータ３が構成される。
【００３７】
したがって、複数枚重畳された前記エレメント２０、２０・・・の間に高圧の気液混合流が吹き込まれると、高圧流故に、前記エリミネータ３の各エレメントは、本来生じてはならない振動やブレ等が発生し、これが、一方では、圧力損を生じさせ、また、故障の原因ともなりかねない。当該圧力損は、本実施例１に係る気液混合流ドレンセパレーター１のような場合には、ドレン・水滴等の分離効率・除去効率の低下となって現れる。
【００３８】
本実施例１に係る気液混合流ドレンセパレーター１は、このようなエリミネータ３に生じるエレメント２０の振動やブレを抑制するために、各エレメント２０、２０・・・を通じて所定の垂直位置に前記間挿板１４ａ、１４ｂを配置したことを特徴とする。
【００３９】
図５は、前記複数のエレメント２０、２０・・・に対し、前記間挿板１４ａ、１４ｂを挿入させて、前記各エレメントの振動を抑制する状態を示す概略図であり、流入する気液混合流は、図の左手前から流入し、内部を通って、図の右手前から排出される。図５において、符号１４ａ、１４ｂは、前記間挿板、２０、２０、・・・は、複数枚が配置される前記エレメントであり、２５、２５、・・・は、前記エレメント２０、２０・・・の断面外形状に対応する形状を有する切り溝であって、各エレメント２０，２０，２０・・・間には気液混合流が圧力損失を受けることなく流通する。
【００４０】
図５から明らかなように、前記各エレメント２０、２０・・・・は、前記切り溝２５、２５、・・・に挿通され、溶接によって固定され、これらのエレメント２０，２０・・・及び前記間挿板１４ａ、１４ｂから前記エリミネータ３が形成される。
図５から明らかなように、所定の平行間隔で重畳されてなる複数枚のエレメント２０、２０・・・が前記間挿板１４ａ、１４ｂでしっかりと固定されるために、吹き込まれる高圧の気液混合流であっても、吹き込みによるエレメント振動やブレを抑制することができる。なお、前記間挿板１４ａ、１４ｂの配置位置は、前記本体管部２の大きさ、管厚や前記気液混合流流入管４及び前記気液混合流排出管５の内部開口角度等によって振動やブレの生じない任意の垂直位置とすることができ、例えば、前記気液混合流流入管４又は前記気液混合流排出管５の内部開口に接する位置に設け、又は、必要に応じ設けることを要しない。
【００４１】
次に、本実施例１に係る気液混合流ドレンセパレーター１における前記エリミネータ３の前記本体管部２内の配置について説明する。
図６は、図２（Ａ）（Ｂ）に示す本実施例１に係る気液混合流ドレンセパレーター１の前記エリミネータ３のエレメント２０、２０、・・・の配置を上から見た概略図である。
【００４２】
図６において、θは、前記気液混合流排出管５の内部開口角度であり、既に述べているが、２は、本体管部、４は、気液混合流流入管、５は、気液混合流排出管、１１は、エリミネータ上部支持部、１２、１２，１２は、固定ネジ、１５は、エリミネータ上板、２０、２０、２０・・は、エレメントである。
【００４３】
本実施例１に係る気液混合流ドレンセパレーター１においては、４５度に設定されている。そして、図６から明らかなように、前記エリミネータ３の前記エレメント２０、２０・・・の前記気液混合流導入部（Gas inlet portion）２１及び前記エリミネータ３の出口端配列である前記樋部２４の折り返し先端の端部配列配置は、共に平行に形成され、また、各エレメント２０、２０，・・・の９０度屈曲中心（９０度屈曲に連なるエレメントの平面部の交点）は、一列状に前記気液混合流排出管５に対しθの角度に形成され、さらに、水平方向に９０度旋回する前記経路２６内において、前記気液混合流流入管４の内部開口及び前記気液混合流排出管５の内部開口と前記エリミネータ３の各エレメント２０、２０、・・・の入口側端部配列と出口端部側配列の全域に渡って所定の間隙を保って密着して配置されている。
【００４４】
また、本実施例１に係る気液混合流ドレンセパレーター１に使用されるエリミネータ３のエレメント２０、２０、・・においては、前記気液混合流流入管４及び前記気液混合流排出管５の内部開口角度と、各エレメント２０，２０、・・の入口側端部配列と出口側端部配列が平行で、かつ、前記気液混合流流入管４及び前記気液混合流排出管５の内部開口に前記エリミネータ３の各エレメント２０、２０、・・・の入口側端部配列と出口端部側配列とは、所定の間隙を保って密着に配置された構成とする。流入したガス圧力損を増加させないためである。
【００４５】
このような配置とすることにより、前記本体管部２（ダクト）と前記エリミネータ３のエレメントユニット（ドレン除去装置）の設計製作を切り離すことが可能となり、装置単品を工場製作とすることができ、効率的な装置製作が可能となる。
【００４６】
なお、本実施例１に係る気液混合流ドレンセパレーター１は、上述してきたように、本体管部２内に前記エリミネータ３を収容するようにしたが、これは、管形状に限るものではなく、缶形状であっても良いことはもちろんである。また、本体管部２の管口径は、流通する適宜の管口径の管を使用すれば足り、前記気液混合流流入管４及び気液混合流排出管５の管口径についても同様である。
【産業上の利用可能性】
【００４７】
気液混合流中のドレン又は水滴等を除去する気液混合流ドレンセパレーターに利用される。
【符号の説明】
【００４８】
１ 気液混合流ドレンセパレーター
２ 本体管部
３ エリミネータ
４ 気液混合流流入管
５ 気液混合流排出管
６ 本体管部上板
７ 本体管部下板
８ ドレン孔
９ ドレン管
１０ エリミネータ下部支持部
１１ エリミネータ上部支持部
１２ 固定ネジ
１３ 取っ手
１４ａ、１４ｂ 間挿板
１５ エリミネータ上板
１６ エリミネータ下板
２０、２０、・・・ エレメント
２１ 気液混合流導入部
２２ 気液混合流ターン部
２３ 気液混合流整流部
２３ｂ 延在面
２４ 樋部
２４ａ 先端
２４ｂ 樋部２４のドレン入り口
２５ 切り溝
２６ 経路
１１１ ケーシング
１１２ エリミネータ
１１２ａ エレメント
１１５ａ 延在面部
１１６ａ 樋
α 延在面２３ｂの面位置より突出しない所定の距離
θ 気液混合流流入管４の開口角度
【図１】
2015112513.tif 000003
【図２】
2015112513.tif 000004
【図３】
2015112513.tif 000005
【図４】
2015112513.tif 000006
【図５】
2015112513.tif 000007
【図６】
2015112513.tif 000008
【図７】
2015112513.tif 000009